(57)【特許請求の範囲】
【請求項１】
車輛の安全関連制御装置用ハウジングシステムであって、
自動車のボディに取り付けられたレセプタクル（１４）と、
このレセプタクル（１４）に挿入できる、幾つかのエアバッグの電子式制御装置用のハウジング部品（１２）とを備え、
前記レセプタクル（１４）及び前記ハウジング部品（１２）は相補的形態適合エレメント（２８、３０）を有し、
これらの相補的形態適合エレメントは、コーディングを提供し、前記ハウジング部品（１２）を前記レセプタクル（１４）に取り付けるときに互いに係合し、これによって、前記レセプタクル（１４）及び前記ハウジング部品（１２）の前記形態適合エレメント（２８、３０）が所定の相補的条件を満たしたときにだけ、前記ハウジング部品（１２）を前記レセプタクル（１４）に完全に組み込むことができ、
前記ハウジング部品（１２）及び前記レセプタクル（１４）は、プラグコネクタカラー（３８）とコネクタソケット（４０）とからなる相補的プラグコネクタエレメント（３８、４０）を有しており、
前記ハウジング部品（１２）は前記プラグコネクタカラー（３８）を有し、前記レセプタクル（１４）は前記コネクタソケット（４０）を有しており、前記プラグコネクタカラー（３８）は前記コネクタソケット（４０）と相補的である、ハウジングシステム。
【請求項２】
請求項１に記載のハウジングシステムにおいて、
前記ハウジング部品（１２）は、前記レセプタクル（１４）内に摺動できる、ことを特徴とするハウジングシステム。
【請求項３】
請求項１又は２に記載のハウジングシステムにおいて、
ラッチエレメントを有し、これらのラッチエレメントにより、前記ハウジング部品（１２）を前記レセプタクル（１４）内の所定位置にラッチ止めできる、ことを特徴とするハウジングシステム。
【請求項４】
請求項１又は２に記載のハウジングシステムにおいて、
前記ハウジング部品（１２）は前記レセプタクル（１４）にねじ連結によって取り付けられる、ことを特徴とするハウジングシステム。
【請求項５】
請求項１乃至４のうちのいずれか一項に記載のハウジングシステムにおいて、
前記ハウジング部品（１２）はプラスチック製であり、前記レセプタクル（１４）は金属製である、ことを特徴とするハウジングシステム。
【請求項６】
請求項１乃至４のうちのいずれか一項に記載のハウジングシステムにおいて、
前記ハウジング部品（１２）はアルミニウム製であり、前記レセプタクル（１４）は金属製であり、前記ハウジング部品は、ダイカスト法及び押出し成形法のうちの一つの方法で形成される、ことを特徴とするハウジングシステム。
【請求項７】
請求項１乃至６のうちのいずれか一項に記載のハウジングシステムにおいて、
前記コーディングは、前記ハウジング部品（１２）及び前記レセプタクル（１４）に設けられた形態適合エレメント（２８、３０）によって提供され、
前記プラグコネクタエレメント（３８、４０）には、車輛のモデルに拘わらず、一貫した接触割当てが提供される、ことを特徴とするハウジングシステム。
【請求項８】
請求項１乃至７のうちのいずれか一項に記載のハウジングシステムにおいて、
自動車のボディに取り付けられた少なくとも一つの第２レセプタクル（１４’）と、この第２レセプタクル（１４’）に挿入できる一つの第２ハウジング部品（１２’）とを備え、
指向性センサが前記第２ハウジング部品（１２’）に配置されており、
前記第２レセプタクル（１４’）及び前記第２ハウジング部品（１２’）は、相補的形態適合エレメント（２８’、３０’）を有し、これらの相補的形態適合エレメントは、コーディングを提供し、前記第２ハウジング部品（１２’）を前記第２レセプタクル（１４’）に取り付けるときに互いに係合し、前記レセプタクル（１４’）及び前記ハウジング部品（１２’）の形態適合エレメント（２８’、３０’）が所定の相補的条件を満たしたときにだけ組み立てを完了できる、ことを特徴とするハウジングシステム。
【請求項９】
請求項８に記載のハウジングシステムにおいて、
指向性センサは加速度センサである、ことを特徴とするハウジングシステム。
【発明の詳細な説明】
【０００１】
【発明の属する技術分野】
本発明は、自動車のボディに取り付けるためのレセプタクルと、このレセプタクルに挿入できるハウジング部品とを備えた、車輛の安全関連制御装置用のハウジングシステムに関する。
【０００２】
【従来の技術】
特定の車輛モデルのシートベルトテンショナ及びエアバッグ等の乗員拘束システムが安全に且つ確実に機能するようにするため、その特定の車輛モデル用の制御装置を設置することが必要である。制御装置を誤って交換すると、車輛の特定データが異なるため、及び／又はセンサの指向性が異なるため、乗員拘束システムが、あまりに早く展開したりあるいはあまりに早くロックしたりし、あまりに遅く展開したりあるいはあまりに遅くロックしたり、または、全く展開しなかったりあるいは全くロックしないことが生じる。このような混乱をなくすため、これまで、車輛について特定のプラグ及びこれと相補的なソケットの形態のコーディング（ｃｏｄｉｎｇ）及び／又は制御装置のベースプレートに配置された車輛について特定のコーディングピンが設けられてきた。これらの解決策は、共通して、それらの取り扱いが比較的複雑であるため、組み立てに極めて時間がかかる。
【０００３】
【発明が解決しようとする課題】
本発明は、簡単且つ確実に特定の車輛モデル用の制御装置の組み立てだけがなされるようにする安全関連制御装置用ハウジングシステムを提供する。
【０００４】
【課題を解決するための手段】
これは、車輛の安全関連制御装置用ハウジングシステムで、自動車ボディに取り付けられたレセプタクル及びこのレセプタクルに挿入できるハウジング部品によって行われ、レセプタクル及びハウジング部品は相補的形態適合エレメント（すなわち、相補的な形状の嵌合要素）を有し、これらのエレメントは、コーディング（ｃｏｄｉｎｇ：ハウジング部品のレセプタクルへの接続の適否）を提供し、ハウジング部品をレセプタクルに取り付けるときに互いに係合する。レセプタクル及びハウジング部品の形態適合エレメント（すなわち、形態嵌合エレメント）が所定の相補的条件を満たしたときにだけ組み立てを完了できる。レセプタクル及びハウジング部品のコーディングにより、別の車輛モデル用の制御装置が設置されることがないようにする確実で簡単で及びかくして迅速に実施される解決策が提供される。
【０００５】
好ましい実施例では、ハウジング部品をレセプタクルに滑り込ませることができるため、組み立てが迅速に行われる。この場合、ハウジング部品をレセプタクル内の所定の場所にラッチ止めでき、そのためハウジング部品をレセプタクルに簡単な方法で取り付けることができる場合に特に有利である。
【０００６】
別の有利な実施例によれば、ハウジング部品はプラスチック製であり、レセプタクルは金属製である。これにより、金属製構成要素が制御装置を何等かの損傷から確実に保護し、プラスチックハウジング構成要素が製造と関連した利点並びに費用上の利点をもたらす、ハウジングシステムが提供される。
【０００７】
別の有利な実施例は、相補的プラグコネクタエレメントを持つハウジング部品及びレセプタクルを提供する。この場合、コーディングとは無関係に、プラグコネクタエレメントに接触割当て（ｃｏｎｔａｃｔ  ａｓｓｉｇｎｍｅｎｔｓ）が同様（一様、同形）に設けられているのが特に有利である。この実施例では、ハウジング部品をレセプタクルに挿入したときに電気的接続がなされる。ハウジング部品及びレセプタクルによってコーディング機能が満たされるため、接触割当ては同様（一様、同形）とすることができ、及びかくして車輛モデルと無関係にすることができる。
【０００８】
別の好ましい実施例によれば、自動車のボディに取り付けられた少なくとも一つの第２レセプタクル及びこの第２レセプタクルに挿入できる一つの第２ハウジング部品が設けられ、指向性（ｄｉｒｅｃｔｉｏｎ−ｄｅｐｅｎｄｅｎｔ：ダイレクションディペンデントすなわち方向性依存型の）センサが第２ハウジング部品に配置されている。２レセプタクル及び第２ハウジング部品は、相補的形態適合エレメント（すなあち、相補的な形状の嵌合エレメント）を有し、これらのエレメントはコーディングを提供し、第２ハウジング部品を第２レセプタクルに取り付けるときに互いに係合する。この場合も、レセプタクル及びハウジング部品の形態適合エレメントが所定の相補的条件を満たしたときにだけ組み立てを完了できる。アッセンブリは、更に、ハウジング部品の相対位置及びかくして指向性センサ（ダイレクションディペンデントセンサ）のハウジング部品に対する相対位置を決定する。かくして、例えば、幾つかのエアバッグを含むエアバッグシステムの場合、複数の指向性センサ（ダイレクションディペンデントセンサ）を適切な位置に配置し、車輛に対して適切に方向決めする。従って、従来技術のエアバッグシステムで必要であった様々な指向性センサ（ダイレクションディペンデントセンサ）についての様々なハウジングの考えが不要になる。
【０００９】
本発明のこの他の利点及び特徴は、以下の説明から、及び参照される図面から理解されよう。
【００１０】
【発明の実施の形態】
図１及び図２のハウジング部品及びレセプタクルの実施例は、特徴の多くが同じであるため、以下の説明では両図面を同時に参照して説明する。
【００１１】
図１及び図２のハウジングシステムは、プラスチック製のハウジング部品１２、１２’、及び金属製レセプタクル１４、１４’を有し、これらのレセプタクルは、自動車のボディの金属片１６、１６’に溶接プロセスによって幾つかの箇所で取り付けられている。ハウジング部品１２、１２’及びレセプタクル１４、１４’は、本質的に立方形の（又は立方体様の）形状を有し、レセプタクル１４、１４’の一方の端面１８、１８’は、開放するように設計されている。ハウジング部品１２、１２’の両側面２０、２０’にはラッチエレメント２２、２２’が設けられており、これらのラッチエレメントは、レセプタクル１４、１４’の側面２６、２６’に配置された相補的ラッチエレメント２４、２４’を介してハウジング部品１２、１２’を取り付けるのに役立つ。ハウジング部品１２、１２’の側面２０及び上面３２、３２’に設けられた形態適合エレメント（すなわち、形態嵌合エレメント）２８、２８’（図１及び図２参照）は、突出部として形成されている。レセプタクル１４、１４’の側面２６及び上面３６、３６’に設けられた形態適合エレメント（形態嵌合エレメント）３０、３０’は、凹所として形成されている。これらは、挿入状態において、ハウジング部品１２、１２’に設けられた突出部の位置がレセプタクル１４、１４’の凹所の位置と合ったときにだけ、ハウジング部品１２、１２’をレセプタクル１４、１４’に完全に挿入できるように相互作用する。ハウジング部品１２、１２’はそれぞれプラグコネクタカラー３８、３８’を有し、これらのカラーは、レセプタクル１４、１４’のコネクタソケット４０、４０’と相補的であるように設計されている。コネクタソケット４０、４０’は、それぞれケーブルハーネス４２、４２’に連結されており、これらのケーブルハーネスは、開放した端面１８、１８’とは反対側に配置されたレセプタクル１４、１４’の各端面の外に突出している。
【００１２】
車輛の幾つかの場所に設置された加速度センサを備えた幾つかのエアバッグを持つエアバッグシステムに適用する場合、ハウジング部品及びレセプタクルが様々な加速度センサについて、及び制御装置について必要とされる。図１に示すハウジング部品は、例えば、幾つかのエアバッグの電子式制御装置用のハウジングを構成し、図２に示すハウジング部品はこのようなシステムの加速度センサ用である。
【００１３】
ハウジングシステムの組み立ては、図１及び図２に示すハウジング部品１２、１２’について同じ方法で行われ、図１のハウジング部品１２を参照して以下に例示する。
【００１４】
組み立て中、先ず最初に車輛モデルと関連したレセプタクル１４を自動車のボディの金属片１６に溶接する。次いで、相補的ハウジング部品１２をレセプタクル１４に滑り込ませる。ハウジング部品１２に設けられた突出部及びレセプタクル１４の対応する凹所を介してハウジング部品１２をレセプタクル１４にラッチ止めする。コネクタソケット４０がレセプタクル１４に既に取り付けられているため、ハウジング部品１２を所定位置に滑り込ませると電気的に接続される。これには、組み立て中、追加の時間を要しない。コーディング（ｃｏｄｉｎｇ）は、ハウジング部品１２及びレセプタクル１４に設けられた形態適合エレメント２８、３０によって提供され、そのため、プラグコネクタエレメント３８、４０は、当該技術分野で公知の態様の場合とは異なり、もはやこの機能を果たさなくてもよく、コネクタカラー３８及びコネクタソケット４０の接触割当てを、車輛のモデルに拘わらず、一様に（同様に）設計することができる。これにより、プラグコネクタエレメントの製造費用を節約できる。
【００１５】
組み立て中に誤って「非適合」ハウジング部品１２をレセプタクル１４に滑り込ませようとした場合、ハウジング部品１２の突出部がレセプタクル１４の凹所と一致しないため、これを行うことはできない。
【００１６】
一方では、これには、ハウジング部品をレセプタクルに滑り込ませて自動的にラッチ止めすることによるハウジング部品の組み立てが非常に短い時間で行われるという利点がある。他方、異なるモデルの車輛用の制御装置が設置されないようにし、ダイレクションディペンデント（ｄｉｒｅｃｔｉｏｎ−ｄｅｐｅｎｄｅｎｔ：方向性依存型の）センサ、すなわち指向性センサを持つハウジングが車輛の誤った場所に取り付けられないようにする簡単であり且つ確実な解決策が提供される。
【００１７】
ラッチエレメントによるハウジング部品のレセプタクルでの取り付けに対する変形例として、ねじ連結点による取り付けが提供される。
プラスチックハウジングの代わりに、ダイカスト法（ダイカスティング方法）又は押出成形法で形成したアルミニウムハウジングを使用してもよい。
【００１８】
以上のように本実施形態によれば、車輛の安全関連制御装置用のハウジングシステムが、自動車のボディに取り付けるためのレセプタクル１４及びこのレセプタクル１４に挿入できるハウジング部品１２を含み、レセプタクル１４及びハウジング部品１２は相補的な形態の適合エレメントすなわち嵌合エレメント２８、３０を有し、これらのエレメントはコーディング（接続の適否）を提供し、ハウジング部品１２をレセプタクル１４に取り付けるときに互いに係合し、レセプタクル１４及びハウジング部品１２の形態適合エレメント２８、３０が所定の相補的条件を満たしたときにだけハウジング部品１２をレセプタクル１４に完全に組み込むことができるので、簡単且つ確実に特定の車輛モデル用の制御装置の組み立てを行うことができる。
【図面の簡単な説明】
【図１】本発明によるハウジングシステムのレセプタクル及びハウジング部品の斜視図である。
【図２】図１に示す本発明によるハウジングシステムの第２レセプタクル及び第２ハウジング部品の斜視図である。
【符号の説明】
１２、１２’  ハウジング部品
１４、１４’  レセプタクル
１６、１６’  金属片
１８、１８’  端面
２０、２０’  側面
２２、２２’  ラッチエレメント
２４、２４’  相補的ラッチエレメント
２６  側面
２８  ２８’  形態適合エレメント（形態嵌合エレメント）
３０、３０’  形態適合エレメント（形態嵌合エレメント）
３２、３２’  上面
３６、３６’  上面
３８、３８’  プラグコネクタカラー
４０、４０’  コネクタソケット
４２、４２’  ケーブルハーネス
【図１】
0004009446.tif 000002
【図２】
0004009446.tif 000003